(57)【要約】      （修正有）【課題】クリーニング時に、後身頃上端の中央付近から破けることを防止する被服を提供する。【解決手段】被服１は、少なくとも上半身の胴体を覆う左前身頃１１、右前身頃１２及び後身頃１３を有する前合わせの被服本体１０を備える被服１であって、後身頃１３の上端中央から、左前身頃１１及び右前身頃１２に亘る衿ぐり部に設けられた補強部５と、少なくとも補強部５内に収容され、後身頃１３から左前身頃１１及び右前身頃１２にかけて設けられる補強テープ６を備えている。【選択図】図１
0003232000.tif 000002
【実用新案登録請求の範囲】
【請求項１】
少なくとも上半身の胴体を覆う左前身頃，右前身頃及び後身頃を有する前合わせの被服本体を備える被服であって，
前記後身頃の上端中央から，前記左前身頃及び前記右前身頃に亘る衿ぐり部に設けられた補強部と，
少なくとも前記補強部内に収容され，前記後身頃から前記左前身頃及び前記右前身頃にかけて設けられる補強テープを備えていることを特徴とする被服。
【請求項２】
前記左前身頃及び前記右前身頃の前合わせの端縁に沿って上端から所定長さに亘って衿が設けられていることを特徴とする請求項１記載の被服。
【請求項３】
前記補強部が，前記後身頃の上端中央から，前記左前身頃及び前記右前身頃の前記衿に沿って所定長さに亘る衿ぐり部に設けられていることを特徴とする請求項２記載の被服。
【請求項４】
前記補強部が，布から縫製されていることを特徴とする請求項１〜３いずれか１項記載の被服。
【請求項５】
前記本体と前記補強部と前記補強テープとが地縫いされていることを特徴とする請求項４記載の被服。
【請求項６】
前記衿ぐり部の周端から０．０５〜０．２４ｃｍ離れた位置に，前記周端に沿って略平行に，前記本体と前記補強部と前記補強テープとを縫い合わせるステッチを備えていることを特徴とする請求項４又は５記載の被服。
【請求項７】
前記衿ぐり部の周端から０．２５〜０．５ｃｍ離れた位置に，前記周端に沿って略平行に，前記本体と前記補強部と前記補強テープとを縫い合わせるステッチを備えていることを特徴とする請求項４〜６いずれか１項記載の被服。
【請求項８】
前記補強テープが，ポリエステル１００％を素材としたテープからなる請求項１〜７いずれか１項記載の被服。
【請求項９】
前記補強部の内側表面に芯地が接着されていることを特徴とする請求項１〜８いずれか１項記載の被服。
【請求項１０】
前記補強部の縁に沿って，識別テープが設けられていることを特徴とする請求項１〜９いずれか１項記載の被服。
【考案の詳細な説明】
【技術分野】
【０００１】
本考案は，和服型の被服であって，クリーニング時に，後身頃の上端中央から裂けることを防止するための被服に関する。
【背景技術】
【０００２】
病院，福祉施設，健康ランド，宿泊施設等にて使用される被服としては，浴衣や甚平等に代表される，胴体を覆う左右前身頃と後身頃とから形成され，前記左右前身頃を重ね合わせて着る和服型の被服が用いられている。
【０００３】
なお，前記和服型の被服には，前記左右前身頃には衿が設けられ，後身頃には衿（いわゆる，後ろ衿や立て衿と呼ばれるもの。）が設けられていないものがある。例えば，特許文献１には，図１０に示すように，前記和服型の被服９０であって，左右の前身頃９２，９３の縁に沿って上端から下端にかけて衿部９４，９４が形成さているが，後身頃９５には衿が形成されていない被服９０が開示されている。
【先行技術文献】
【特許文献】
【０００４】
【特許文献１】実開平６−８５３１１号公報
【考案の概要】
【考案が解決しようとする課題】
【０００５】
ところで，前記被服は，毎日大量に使用され，衛生上，その都度洗濯に出されるものであるため，一つずつ洗濯してアイロンをかけることは非効率であり，大量の洗濯物を機械で一括してクリーニングするのが普通である。
【０００６】
一般に，前記クリーニングにおいては，洗濯及び乾燥後に仕上げが行われ，前記仕上げでは，洗濯，乾燥済みの被服が人手により専用の投入機にセットされ，その後自動で，ロールアイロナー等によるアイロン掛け，そして，折畳み機により折り畳みが行われる。
【０００７】
ここで，前記投入機は，前開きの前記和服型の被服を着せ掛けるために人体の胴部を模した形態を持つ整形体（人体型のハンガー）が備えられており，該整形体に前記被服を掛けることで，該被服が前記投入機にセットされるものである。
【０００８】
そして，前記整形体にセットされた被服は，人手や機械により被服の裾を下に引っ張る等，投入前にたるみ等の乱れを取る整姿作業が行われた後，前記投入機が作動して，後続のロールアイロナー等のアイロン装置に自動供給される。
【０００９】
しかし，上述の特許文献１に開示するような後ろ衿の無い被服の場合，前記整姿作業中において,前記整形体にセットされた被服が下に引っ張られることで，被服の後身頃上端の中央付近から縦に破けるという問題があった。
【００１０】
本考案は，上記問題点に鑑みてなされたものであって，特に上述したクリーニング時における，後身頃上端の中央付近から破けることを防止する被服を提供することを目的とする。
【課題を解決するための手段】
【００１１】
以下に，課題を解決するための手段を，考案を実施するための形態で使用する符号と共に記載する。この符号は，実用新案登録請求の範囲の記載と考案を実施するための形態の記載との対応を明らかにするために記載したものであり，言うまでもなく，本考案の技術的範囲の解釈に制限的に用いられるものではない。
【００１２】
本考案の被服１は，少なくとも上半身の胴体を覆う左前身頃１１，右前身頃１２及び後身頃１３を有する前合わせの被服本体１０を備える被服１であって，
前記後身頃１３の上端中央から，前記左前身頃１１及び前記右前身頃１２に亘る衿ぐり部（首周り）に設けられた補強部５と，
少なくとも前記補強部５内に収容され，前記後身頃１３から前記左前身頃１１及び前記右前身頃１２にかけて設けられる補強テープ６を備えていることを特徴とする（請求項１；図１〜４を参照）。
【００１３】
なお，前記被服１は，前記左前身頃１１及び前記右前身頃１２の前合わせの端縁に沿って上端から所定長さに亘って衿３１，３２が設けられても良い（請求項２；図１，３を参照）。
【００１４】
そして，前記補強部５が，前記後身頃１３の上端中央から前記左前身頃１１及び前記右前身頃１２の前記衿３１，３２に沿って所定長さに亘る衿ぐりに設けられても良い（請求項３；図１，３を参照）。
【００１５】
また，前記補強部５は，布から縫製されていることが好ましく（請求項４；図１〜４を参照），特に，前記本体１０と前記補強部５と前記補強テープ６とが地縫い９ａ（縫い合わ）されていることが好ましい（請求項５；図５を参照）。また，本考案の被服１は，前記衿ぐり部の周端から０．０５〜０．２４ｃｍ離れた位置に，前記周端に沿って略平行に，前記本体１０（左右前身頃１１，１２及び後身頃１３）と前記補強部５と前記補強テープ６とを縫い合わせるステッチ９ｂを備えていても良い（請求項６；図１〜２を参照）。さらに，前記衿ぐり部の周端から０．２５〜０．５ｃｍ離れた位置に，前記周端に沿って略平行に，前記本体１０と前記補強部５と前記補強テープ６とを縫い合わせるステッチ９ｃを備えていても良い（請求項７；図７〜８を参照）。
【００１６】
また，前記補強テープ６が，ポリエステル１００％を素材としたテープからなることが好ましい（請求項８）。
【００１７】
また，前記補強部５の内側表面に芯地７が接着されていると好ましい（請求項９）。
【００１８】
また，前記補強部５の縁に沿って，識別テープ３３が設けられていても良い（請求項１０）。
【考案の効果】
【００１９】
本考案の被服１は，前記補強部５が前記後身頃１３の上端中央から，前記左前身頃１１及び前記右前身頃１２に亘る首周りに設けられているため，後身頃１３のみに補強部５が設けられた場合に比べ強度が増し，さらに，前記補強テープ６が，後身頃１３のみでなく左右前身頃１１，１２にかけて設けられていることで，強度がさらに増し，後身頃１３の上端中央から破けることが防止されている。
【図面の簡単な説明】
【００２０】
【図１】本考案の被服１の第一実施形態の正面図。
【図２】前記被服１の背面図。
【図３】図１の衿ぐり（首周り）部の拡大図。
【図４】図２の首周り部の拡大図。
【図５】図１の左前身頃１１に設けられた補強部５の拡大断面図。
【図６】図１の左前身頃１１に設けられた衿３１の拡大断面図。
【図７】本考案の第二実施形態の被服１の衿ぐり部の拡大正面図。
【図８】本考案の第二実施形態の被服１の衿ぐり部の拡大背面図。
【図９】本考案の被服１の第三実施形態の正面図。
【図１０】従来の被服９０を示す正面図。
【考案を実施するための形態】
【００２１】
本考案の被服１の第一実施形態について以下，図１〜図５を参照して説明する。
【００２２】
図１は，本考案の被服１の第一実施形態を示す正面図（後述する補強テープ６は図示せず。）であり，図２は，前記被服１の背面図（後述する補強テープ６は図示せず。）である。なお，図１及び図２中の破線は，縫目（縫合部）９を示す。
【００２３】
また，図１及び図２には，上衣（部）及び下衣（部）から成る甚平型（セパレートタイプの二部式の和服）の上衣（部）が図示されており，図示せざる下衣（部）は，例えば，ズボン，巻きスカート等を採用することができ，特に限定されるものではない。
【００２４】
本実施形態の被服１は，図１に示すように，胴体を覆う左前身頃１１，右前身頃１２及び後身頃１３から成る被服本体（身頃）１０と被服本体１０の上部左右に設けられた袖１８，１８を有し，着用時には，前記袖１８，１８に腕を通し左右の前身頃１１，１２を重ね合わせる前合わせの被服１である。なお，本考案の被服１は，前記袖１８の無い，袖なし浴衣としても良い。
【００２５】
また，本実施形態の被服１は，左右の前身頃１１，１２の前合わせの端縁に沿って上端から下端にかけて所定幅の帯状の衿３（左前身頃の衿３１，右前身頃の衿３２）が設けられているが，後身頃１３に衿（後ろ衿）が設けられていない構成となっている。
【００２６】
そして，本考案の被服１は，図１及び図２に示すように，後身頃１３の上端中央部から，左右前身頃１１，１２の各衿３１，３２に沿って所定長さに亘る衿ぐり（首周り）部に共生地が縫い付けられ補強部５が形成されている。なお，本実施形態では，前記補強部５が共生地により縫製されているが，本考案では補強部５の形成は布製のものに限定されず，例えば，可撓性のプラスチックフィルムから形成されても良い。
【００２７】
前記補強部５は，上述の通り，後身頃１３から左右前身頃１１，１２に亘り設けられている。従って，後身頃１３のみに補強部５が設けられた場合に比べ強度が増し，破けにくくなっている。また，図１に示すように，衿３１，３２を横断する，補強部５と衿３１，３２との縫合部（縫目）９’の位置が後身頃１３と左右前身頃１１，１２の境目より前に，つまり，左右前身頃１１，１２の位置にくるため，前記縫合部（縫目）９’が後身頃と各前身頃１１，１２との境目にある場合と異なり，着用者の首筋等に当たって不快感を与える等の問題がない。なお，補強部５の各衿３１，３２の上端からの前記所定長さについては，１〜５ｃｍが好ましいが，これに限定されるものではない。
【００２８】
次に，図３は図１の被服１の首周り部の拡大図（縫目９は図示せず。）であり，図４は図２の被服１の首周り部の拡大図（縫目９は図示せず。）である。そして，図３及び図４に示すように，前記補強部５内には，補強テープ６（図中の破線部）が縫い付けられて収容されている。
【００２９】
前記補強テープ６は，図３及び図４に示すように，後身頃１３の補強部５の内部から左右前身頃１１，１２の補強部５の内部にかけて設けられている。このように，補強テープ６が，後身頃１３のみでなく，左右前身頃１１，１２にかけて設けられているため，被服１がより破けにくくなるように引っ張り強さを含め強化されている。なお，本考案の前記補強テープ６は，少なくとも前記補強部５内に収容されていれば良く，つまり，前記補強部５内にのみ収容されても良く，また，本実施形態のように，前記補強部５内のみでなく，衿３（左前身頃の衿３１，右前身頃の衿３２）の内部にまで延設されていても良い（図３を参照）。なお，本実施形態のように，補強テープ６は，衿３の下端まで延設しないのが好ましいが，これに限定されない。
【００３０】
なお，前記補強テープ６は，例えば，ポリエステルから成る合成樹脂フィルム，編織物や不織布等が用いられる。なお，本考案では，前記補強テープ６にポリエステル１００％を素材としたテープを使用することが好ましい。また，補強テープ６の厚さは，好ましくは，０．０１〜０．０２cmであるがこれに限定されない。
【００３１】
次に，図５は，衿３１の上端部に設けられた補強部５における断面視の構造を示すものである（図３に示す補強部５のＡ―Ａ線の拡大断面図）。図５に示すように，前記衿３１と前記補強部５には内側表面に芯地（強化シート）７が接着され，前記補強部５が衿３１に被さるように配設されており，図面左側に位置する左前身頃１１の前合わせの端縁側では，二つ折りになった前記衿３１の間に前記補強テープ６が挿入された状態で，補強部５，衿３１，補強テープ６及び左前身頃１１が糸９（９ｂ）で一体に縫い合わせられた構成となっている。
【００３２】
なお，図５の図面左側に位置する左前身頃１１の端縁側における縫製方法を述べると，まず，下から左前身頃１１，内側表面に芯地７が接着された前記補強部５，内側表面に芯地７が接着された前記衿３１，補強テープ６の順に重なったものを地縫い（縫い合わせ）９ａし，表から前記地縫い部９ａが見えなくなるように前記左前身頃１１と前記補強部５を境に上部と下部を共に折り返した後，端から０．１ｃｍの位置に端縁に沿って上からステッチ（０．１ｃｍコバステッチ）９ｂするものである。なお，ステッチ９ｂの距離は端から０．１ｃｍに限定されるものではなく，好ましくは，０．０５〜０．２４ｃｍであるがこれに限定されない。
【００３３】
なお，上述のように，本実施形態の被服１は，前記本体（身頃）１０と，前記補強部５と，前記衿３１と，前記補強テープ６とを地縫い９ａし，その後折り返して押さえ縫い（前記ステッチ９ｂ）をしたことで，返し位置のズレが解消されると共に，被服１の衿ぐり部の引っ張り強さが強化される。
【００３４】
一方，図５の図面右側に位置する左前身頃１１上には，二つ折りにされた前記補強部５と左前身頃１１の間に２つ折りにされた識別テープ３３が挿入された状態で，補強部５，衿３１，識別テープ３３及び左身頃１１が糸９で一体に縫い合わせられた構成となっている。
【００３５】
なお，上述したように，本実施形態では，着用者に不快感を与えないように補強部５が被服１の外（表）側に形成されているが，補強部５が被服１の内（裏）側に形成されても構わない。同様に，補強部５が衿３に沿って形成されているが，補強部５が左右前身頃１１，１２の上端部に亘って形成されていれば衿３に沿うものでなくても構わない。
【００３６】
また，前記補強部５は，前記衿３（左前身頃の衿３１，右前身頃の衿３２）を備えていない被服１にも適用でき，また，後身頃１３に衿（後ろ衿）を備えた被服１にも適用できるものである。この場合，例えば，後ろ衿の下部に位置する後身頃１３から左右前身頃１１，１２の上端部に亘って前記補強部５を設け，該補強部内に前記補強テープ６を収容することができる。
【００３７】
本考案に使用される前記芯地（強化シート）７は，衿３や補強部５に接着させて，衿３と補強部５に形態安定性を付与するものであれば特に限定されず，例えば，薄いプラスチック板あるいは，布製のもの等が使用され，また，前記布製は，天然繊維だけでなく，合成樹脂繊維の織物などを含む。
【００３８】
また，本考案の芯地７には，好ましくは，布に重ねて加熱し，両者を熱接着することにより接着，固定させることができる熱接着性のシート（熱接着性樹脂シート）が採用される。なお，前記熱接着性のシートとしては，例えば，ポリエステル，ポリアミド等を素材とした合成樹脂フィルム，編織物や不織布等を用いることができる。
【００３９】
なお，本実施形態の芯地７は，ポリエステル１００％からなる熱接着シートを使用しており，ポリエステル１００％を素材とした物は，形態安定性，可撓性，追従性，平滑性，接着性，耐クリーニング性に優れる。
【００４０】
また，熱接着性のシートを使用する場合，芯地７の厚さは，好ましくは，０．０３〜０．０５ｍｍであり，融点の好ましい範囲は，１２０℃〜１３０℃の範囲内である
【００４１】
なお，上述の熱接着性のシートは，基布に熱接着樹脂層を形成したものであっても良い。例えば，芯地７の基布に，ポリエステルおよび綿の混用品もしくは，綿１００％のもの，ポリエステル１００％の織物素材等を使用し，熱可塑性樹脂としては，ポリエチレン系樹脂，ポリアミド系樹脂，ポリエステル系樹脂，ポリ塩化ビニール系樹脂等が例示でき，水溶性のポリビニールアルコール系樹脂を含め，熱可塑性のものであれば特に限定されない。
【００４２】
また，芯地７には，上述した熱接着性のシートを使用する他にも，衿布に縫い合わせにより又は接着剤により接着されるものを使用することが可能である。
【００４３】
前記識別テープ３３は，図１及び図２に示すように，前記衿３及び補強部５の縁に沿って取り付けられ，衿３及び補強部５全体を装飾する細幅のテープであって，例えば，細幅織機で織り上げ，色柄などによる意匠性を持たせた装飾用の細幅テープ，あるいは，フィルムをベースに意匠性を持たせた装飾フィルムテープ等を用いることが出来る。
【００４４】
識別テープ３３の厚みについては，衿布と同じかそれ以上であると形態安定性（補強）の面から良い。
【００４５】
なお，本実施形態の被服１では，前記識別テープ３３としてバイヤステープを使用し，図５に示すように，該識別テープ３３を二つ折りにすることで形態安定性を強化しているが，本考案の識別テープ３３は，バイヤステープに限定されるものでなく，また，二つ折りに限定されるものではない。
【００４６】
また，識別テープ３３は，生地の色を変えて被服１のサイズを表すものとしても使え，例えば，Ｓサイズを黄色，Ｍサイズを赤色，Ｌサイズを青色とする等，色分けすることができる。
【００４７】
そして，本実施形態の被服１の衿３は，図６（図１に示す衿３１のＢ―Ｂ線断面図。）の右側に示すように，内側表面に前記芯地７が接着され二つ折りにされた衿３１と，同じく二つ折にされた識別テープ３３と左前見頃１１とが糸９で縫い合わせられて一体とされたことにより強度が増しており，従来の単に芯を張り付けた衿に比べて形態安定性が向上し，クリーニング後の被服１の衿のシワや折れの発生を防止することが可能となる。
【００４８】
また，本実施形態の被服１には，図１に示すように，右前身頃１２の外側の腰付近の位置に紐体１９ａが取り付けられ，着用時に該紐体１９ａに結び合わせる紐体１９ｂが左前身頃１１の衿３に取り付けられている。
【００４９】
さらに，本実施形態の被服１には，左前身頃１１の内側の腰付近の位置にも紐体（図示せず。）が取り付けられ，着用時に該紐体に結び合わせる紐体（図示せず。）が右前身頃１２の衿３に取り付けられても良い。
【００５０】
なお，本考案の被服１は，上述の紐体を設けずに，着用時に帯（図示せず）を巻くスタイルでも良い。
【００５１】
上述した被服本体１０（左右前身頃１１，１２，後身頃１３），衿３，識別テープ３３，袖１８，紐体１９，帯（図示せず）の各素材は，例えば，ポリエステル，綿，麻，絹，またはこれらを混紡したもの等を用いることができる。また，衿３の生地については，本実施形態のように被服本体と同じ生地（共生地）を採用しても良い。
【００５２】
次に，本考案の第二実施形態について説明する。
【００５３】
図７，８（前記補強テープ６は図示せず。）は，本実施形態の被服１の衿ぐり部の拡大正面図と拡大背面図である。
【００５４】
本実施形態では，図７，８に示すように，補強部５上において，前記衿ぐりの周端部から０．１ｃｍ離れた位置に，前記周端部に沿って略平行に，前記本体１０（左前身頃１１，右前身頃１２及び後身頃１３）と前記補強部５と前記補強テープ６とを縫い合わせる前記ステッチ９ｂ（本実施形態では，０．１ｃｍコバステッチ）に略平行する，つまりは，前記衿ぐり部の周端に略平行するステッチ９ｃ（本実施形態では，０．３ｃｍコバステッチ）をさらに有する。前記ステッチ９ｃは，前記ステッチ９ｂと同様に前記本体１０と前記補強部５と前記補強テープ６とを縫い合わせている。
【００５５】
なお，前記ステッチ９ｃの前記衿ぐり部の周端から距離は，衿ぐりの周端から０．３ｃｍに限定されるものではなく，好ましくは，０．２５〜０．５ｃｍであるがこれに限定されない。
【００５６】
上記構成により，ステッチ９ｂのみの場合と比べて，衿ぐり部の引張強さがより強化され，被服１が破けにくくなっている。
【００５７】
なお，本実施形態の被服１について，上述以外の構造については，第一実施形態と同じである。
【００５８】
図９は，本考案の被服１の他の実施形態（第三実施形態）の正面図である。図９に示すように，本考案の被服１は，上半身から下半身（足首近傍）まで延びる一部式の浴衣であっても良い。なお，本実施形態の補強部５は，上述の図１の実施形態の補強部５と構造が同じである。
【００５９】
また，本実施形態では，衿３が，右前身頃１２及び左前身頃１１の各々の上端から，下端にまで延ばさずに腰付近（所定長さ）まで設けられたものであるが，前記衿３は，右前身頃１２及び左前身頃１１の各々の下端にまで延ばして設けられても良い。
【００６０】
また，本実施形態の被服１は，上述の紐体を設けずに，着用時に帯（図示せず）を巻く和服様式でもよい。
【符号の説明】
【００６１】
１…被服
１０…本体
１１…左前身頃
１２…右前身頃
１３…後身頃
１８…袖
１９…紐体
３…衿
３１…左前身頃の衿
３２…右前身頃の衿
３３…識別テープ（装飾テープ）
５…補強部
６…補強テープ
７…芯地
９…糸（縫合部）
９’…縫目
９ａ…地縫い部
９ｂ…ステッチ
９ｃ…ステッチ
９０…被服
９２，９３…前身頃
９４…衿部
９５…後身頃
【図１】
0003232000.tif 000003
【図２】
0003232000.tif 000004
【図３】
0003232000.tif 000005
【図４】
0003232000.tif 000006
【図５】
0003232000.tif 000007
【図６】
0003232000.tif 000008
【図７】
0003232000.tif 000009
【図８】
0003232000.tif 000010
【図９】
0003232000.tif 000011
【図１０】
0003232000.tif 000012